(57)【要約】  【課題】  地図上に監視カメラ装置が密集している場合、あるいは各カメラ装置のカメラ情報や各カメラ装置毎の詳細な情報を確認しながら監視カメラ装置を選択する場合、別の監視カメラ装置を選択したり、また、選択のための操作性が悪い。  【解決手段】  情報処理装置と、複数のカメラ装置を有し、上記情報処理装置は、記憶部、表示部および操作部を有し、上記記憶部に上記複数のカメラ装置の位置情報を有する所定の地図情報を地図情報データベースとして記憶し、上記複数のカメラ装置から所定のカメラ装置を選択する場合、上記表示部に上記記憶部に記憶している上記地図情報データベースから該当する地図表示エリアを表示すると共に、上記地図表示エリアに所定数の上記カメラ装置が含まれる所定形状の選択範囲を表示し、該所定形状の選択範囲内に位置する上記カメラ装置から所定のカメラ装置を選択するように構成される。【選択図】  図１
2008199531.tif 000002
【特許請求の範囲】
【請求項１】
情報処理装置と、上記情報処理装置と伝送路で結合される複数のカメラ装置を有し、上記情報処理装置は、記憶部、表示部および操作部を有し、上記記憶部に上記複数のカメラ装置の位置情報を有する所定の地図情報を地図情報データベースとして記憶し、上記複数のカメラ装置から所定のカメラ装置を選択する場合、上記表示部に上記記憶部に記憶している上記地図情報データベースから該当する地図表示エリアを表示すると共に、上記地図表示エリアに所定数の上記カメラ装置が含まれる所定形状の選択範囲を表示し、該所定形状の選択範囲内に位置する上記カメラ装置から所定のカメラ装置を選択することを特徴とする監視カメラシステム。
【発明の詳細な説明】
【技術分野】
【０００１】
本発明は、監視カメラシステムに関し、特に、情報端末装置から所望の監視カメラを選択する監視カメラシステムに関するものである。
【背景技術】
【０００２】
監視カメラ装置を複数の場所に分散して配置し、これら複数のカメラ装置で撮像した映像を一箇所で遠隔監視するために、複数のカメラ装置の各々に接続された複数の子局装置と、中央装置とがネットワーク回線で接続された監視カメラシステムが開発されている。具体的な事例として監視カメラ映像の入手について説明すると、例えば、ホテルやビル、コンビニエンスストアや金融機関あるいはダムや道路といった公共施設には、犯罪抑止や事故防止等の目的で映像監視システムが設置されている。これら映像監視システムは、監視対象をカメラ等の撮像装置で撮影し、その映像を管理事務所や警備室等の監視センタに伝送し、監視者がそれを監視し、目的や必要に応じて、注意や警告をしたり、あるいは映像を記録し、保存するものである。
【０００３】
近年、こうした映像監視システムの分野において、監視カメラ映像をディジタル化し、インターネットに代表されるＩＰネットワークを介して映像を伝送し監視を行うネットワーク型映像監視システムの普及が進みつつある。現在、主流となっているネットワーク型監視カメラシステムは、監視カメラ装置に接続された映像伝送装置から映像受信装置にネットワークを介してライブ映像を配信するものである。配信された映像は、例えば、監視センタに常駐する監視者（または操作者とも言う。）が常時この映像を視聴し、問題発生時には状況に応じた対応をすることのできる監視カメラシステムとなっている。
【０００４】
この従来の監視カメラシステムでは、監視センタに設置された情報端末装置で複数の場所に分散して配置された監視カメラ装置を選択する場合、地図上に監視カメラ装置が密集している場合、あるいは各カメラ装置のカメラ情報や各カメラ装置毎の詳細な情報を確認しながら目的とする監視カメラ装置を選択することは、目的外の監視カメラ装置を選択したり、また、選択のための操作性が悪く、監視センタでの監視、特に、緊急時の監視目的にはそぐわないものとなっている。
【０００５】
【特許文献１】特開２００４−１６５８０８号公報
【発明の開示】
【発明が解決しようとする課題】
【０００６】
従来の監視カメラシステムでは、地図上に監視カメラ装置が密集している場合、あるいは各カメラ装置のカメラ情報や各カメラ装置毎の詳細な情報を確認しながら監視カメラ装置を選択する場合、別の監視カメラ装置を選択したり、また、選択のための操作性が悪く、これらを改善した監視カメラシステムの実現が望まれている。
【０００７】
本発明の目的は、地図上に監視カメラ装置が密集している場合でも的確に目的とする監視カメラ装置を選択できる監視カメラシステムを提供することである。
【０００８】
本発明の他の目的は、監視センタの情報端末装置からでも簡単に目的とする監視カメラ装置が選択できる監視カメラシステムを提供することである。
【０００９】
本発明の更に他の目的は、監視、特に、緊急時の監視目的として操作性の優れた監視カメラシステムを提供することである。
【課題を解決するための手段】
【００１０】
本発明の監視カメラシステムは、情報処理装置と、上記情報処理装置と伝送路で結合される複数のカメラ装置を有し、上記情報処理装置は、記憶部、表示部および操作部を有し、上記記憶部に上記複数のカメラ装置の位置情報を有する所定の地図情報を地図情報データベースとして記憶し、上記複数のカメラ装置から所定のカメラ装置を選択する場合、上記表示部に上記記憶部に記憶している上記地図情報データベースから該当する地図表示エリアを表示すると共に、上記地図表示エリアに所定数の上記カメラ装置が含まれる所定形状の選択範囲を表示し、該所定形状の選択範囲内に位置する上記カメラ装置から所定のカメラ装置を選択するように構成される。
【００１１】
また、本発明の監視カメラシステムにおいて、上記地図表示エリアに所定数の上記カメラ装置が含まれる所定形状の選択範囲を確定した場合、上記所定数のカメラ装置のリスト表示をするように構成される。
【００１２】
また、本発明の監視カメラシステムにおいて、更に、上記リスト表示された上記カメラ装置の１つが選択されると、該選択された上記カメラ装置の詳細情報が表示されるように構成される。
【００１３】
また、本発明の監視カメラシステムにおいて、上記詳細情報には、少なくとも上記カメラ装置の設置場所の情報と、上記カメラ装置の撮影画面が記憶されている。
【発明の効果】
【００１４】
以上説明したように本発明によれば、地図上に監視カメラ装置が密集している場合でも的確に目的とする監視カメラ装置を選択できる特徴がある。また、監視センタの情報端末装置からでも簡単に目的とする監視カメラ装置を選択でき、監視、特に、緊急時の監視目的として操作性の優れた監視カメラシステムを実現できる特徴がある。
【発明を実施するための最良の形態】
【００１５】
以下、本発明に係る実施の形態について、図面を用いて説明する。図３は、本発明の監視カメラシステムの一実施例の概略構成のブロック図を示す。図３において、３０１−１、３０１−２、・・・３０１−Ｎは、カメラ装置であり、被写体を撮像してその映像信号を出力する。なお、カメラ装置を代表する場合は、カメラ装置３０１と称する。３０２−１、３０２−２、・・・３０２−Ｎは、カメラ装置３０１からの映像信号をデジタル信号に変換するＡ／Ｄ変換部である。なお、Ａ／Ｄ変換部を代表する場合は、Ａ／Ｄ変換部３０２と称する。３０３−１、３０３−２、・・・３０３−Ｎは、エンコーダ部であり、映像信号を符号化し、また、必要に応じて、例えば、ＭＰＥＧ２（Moving Pictures Experts Group 2）やＭＰＥＧ４のような画像圧縮機能を有し、画像の伝送帯域を圧縮して送ることができるように構成されている。なお、エンコーダ部を代表する場合は、エンコーダ部３０３と称する。３０４は、ＬＡＮ（Local Area Network）、ＷＡＮ(Wide Area Network)、ＩＳＤＮ（Integrated Services Digital Network）あるいはインターネット等の通信ネットワークであり、一般には、信号伝送路で構成されている。３０５は、例えば、監視センタであり、中央処理装置３１０、記憶部３１１、表示部３１２および操作部３１３で構成されている。ここで、中央処理装置３１０、記憶部３１１、表示部３１２および操作部３１３は、情報処理装置を構成する。なお、エンコーダ部３０３と信号伝送路３０４との接続および信号伝送路３０４と監視センタ３０５との接続は、接続インターフェースを介して接続されるが、図３では、省略してある。また、カメラ装置３０１から伝送路３０４までを映像信号送信側と称し、伝送路３０４から監視センタ３０５までを映像信号受信側と称することにする。
【００１６】
次に、図３に示される監視カメラシステムの動作について以下説明する。複数のカメラ装置３０１で撮影された映像信号は、Ａ／Ｄ変換部３０２でデジタル信号に変換され、エンコーダ部３０３に供給される。エンコーダ部３０３では、映像信号を符号化し、また、必要に応じて、例えば、ＭＰＥＧ２で圧縮され、また、伝送に適した信号フォーマットに変換された後、接続インターフェースを介して映像データとして伝送路３０４に供給される。このようにして伝送路３０４に送出された映像データは、監視センタ３０５の中央処理装置３１０に供給される。
【００１７】
中央処理装置３１０では、それぞれのカメラ装置３０１から送られてくる映像データを元の映像信号に復元し、記憶部３１１に記憶する。また、操作者（またはユーザ）は、操作部３１３を操作して、例えば、カメラ装置３０１−１の監視映像を表示部３１２に表示し、監視映像をライブ映像として見ることができる。また、操作者は、操作部３１３を操作して、他の監視カメラ３０１のライブ映像を必要に応じて、カメラ装置３０１−１の監視映像を切替えて表示部３１２に表示し、他の監視カメラ３０１の監視映像を見ることができる。また、操作者は、操作部３１３を操作して、記憶部３１１に記録されている過去の記録映像を必要に応じて読み出し、表示部３１２に表示することもできる。更に、表示部３１２は、操作部３１３の操作により、複数のカメラ装置３０１の画像をマルチ画面として表示する機能も有している。また、カメラ装置３０１は、例えば、パン、チルト、ズーム等の制御を実行する機能も有しており、操作者は、操作部３１３を操作して、カメラ装置３０１の、例えば、ズーム機能を操作し、拡大された映像を見ることもできる。
【００１８】
さて、本発明の監視カメラシステムは、上述のような種々の機能を有しているが、前述したように地図上にカメラ装置が密集している場合、あるいは各カメラ装置のカメラ情報や各カメラ装置毎の詳細な情報を確認しながら監視カメラ装置を選択する場合、別の監視カメラ装置を選択したり、また、選択のための操作性が悪い。従って、本発明の監視カメラシステムは、これを改善するための種々の機能を有している。以下、これについて詳細に説明する。
【００１９】
図２は、監視センタ３０５の操作者が操作部３１３を操作して表示部３１２に、例えば、中野区の地図とカメラ装置３０１の位置を表示した画面を示す。この画面の表示方法について簡単に説明する。なお、ここで説明する中央処理装置３１０は、例えば、一般的なパソコン（PC：Personal Computer）を用いることができる。操作者は、中央処理装置３１０の操作部３１３（例えば、キーボード、マウス等のポインティングデバイス、音声入力、等）を操作し、表示部に地図情報の情報提供システムのブラウザを呼出す。一般的には、例えば、国土地理院等が発行している地図情報の内、（１）日本国内全般の情報のブラウザ、（２）北海道地方、東北地方、関東地方等の区分情報のブラウザ、（３）各都道府県毎のブラウザ、（４）都府県または支庁内を更に細かく分けた地図のブラウザ等が利用可能である。地図検索としては、検索図による検索、地名および公共施設名による検索、経度・緯度による検索あるいは区市町村名による検索等が使用可能である。
【００２０】
図２において、２０１は、例えば、ブラウザ画面であり、ブラウザ画面２０１の中に該当する地域の地図情報を表示した地図情報表示画面２０２と情報ツール欄２０３とが表示される。そして情報ツール欄２０３の各区名をマウス等でクリックすると、その区に該当する地図情報が地図情報表示画面２０２に表示される。図２では、中野区をマウスでクリック（斜線で示す。）したので、中野区の地図が地図情報表示画面２０２に表示されている。また、図２の×印で示す位置は、カメラ装置３０１が設置されている場所を示しており、黒丸印は、○×銀行Ｂを示している。□は、○△×幼稚園を示している。また、Ｐ１、Ｐ２、・・・Ｐ５等は、道路を示している。なお、図２に示される地図情報表示画面２０２の地図情報は、例えば、２万５千分の１地図である。
【００２１】
ここで、カメラ装置３０１（×印）の表示方法について説明する。本発明の監視カメラシステムは、１システムで約数百台から数千台のカメラ装置を所定の地域に設置し、監視カメラシステムを構築し、地域の防災や障害監視等の役割を果たしている。そのため監視カメラシステムを構築する場合、前もってカメラ装置３０１の設置場所を特定し、ビルの屋上や電柱等の高所に設置するが、この時、例えば、ＧＰＳ衛星等からの位置情報、即ち、経度、経度の情報を入手し、これを設置したカメラ装置３０１の位置情報として記憶部３１１に位置データベースとして登録する。これを表１に示す。
【００２２】
【表１】
2008199531.tif 000003
【００２３】
表１において、Ｎｏ．１のカメラ装置３０１−１の設置場所は、緯度Ｘ１、経度Ｙ１である。Ｎｏ．２のカメラ装置３０１−２の設置場所は、緯度Ｘ２、経度Ｙ２である。同様に、Ｎｏ．Ｎのカメラ装置３０１−Ｎの設置場所は、緯度ＸＮ、経度ＹＮである。従って、これらカメラ装置３０１の設置場所が緯度Ｘ、経度Ｙで表現できるので、これら緯度Ｘ、経度Ｙに基づいて図２の地図情報表示画面２０２に表示したのが×印で示されるカメラ装置３０１の位置である。そして、これらカメラ装置３０１の位置を入力された地図情報が地図データベースとして中央処理装置３１０の記憶部３１１に記憶されている。このように本発明の監視カメラシステムでは、各監視カメラシステム毎にカメラ装置３０１を設置した場合、地図上にカメラ装置の位置が表示される。
【００２４】
而して、上述した図２の２万５千分の１地図の地図情報表示画面２０２に表示したカメラ装置３０１（×印で示す。）は、極めて多数設置されており、所定のカメラ装置を選択して必要な監視映像を入手するためには、多数のカメラ装置の映像を順次入手し、いずれのカメラ装置かを特定するための操作が必要になる。このように地図上にカメラ装置が密集している場合、各カメラ装置のカメラ情報や各カメラ装置毎の詳細な情報を確認しながら監視カメラ装置を選択するのでは、別の監視カメラ装置を選択したり、また、選択のための操作性が悪く、緊急性に欠ける。
【００２５】
図１は、図２で示される地図情報表示画面２０２（２万５千分の１地図）の所定の地点、例えば、○×銀行Ｂを中心とした所定の表示エリア（２０４で示す。）の拡大図、例えば、３千分の１地図を示す。図１に示す所定範囲２０４には、表２に示されるカメラ装置３０１が表示される。
【００２６】
【表２】
2008199531.tif 000004
【００２７】
表２では、７台のカメラ装置を示しているが、実際の市街地では、更に多くのカメラ装置が密集して配置されている。
【００２８】
従って、本発明では、地図表示エリア２０４の地図上において、ドラッグ等の操作により、選択したいカメラあるいは該当の建物、監視対象物等を含む周辺部を、例えば、矩形選択する。この矩形選択範囲を１０１で示す。この矩形選択範囲１０１は、例えば、○×銀行あるいは○×△幼稚園といった監視対象物を中心にして矩形選択することが望ましい。また、矩形選択範囲１０１の大きさは、操作者が適宜決定することができるが、例えば、２乃至５台のカメラ装置が含まれる範囲に設定することが望ましい。なお、本実施例では、矩形選択範囲１０１として説明するが、所定の数のカメラ装置を含めるように、例えば、○形状、△形状等の所定形状の選択範囲であれば良いことはいうまでもない。
【００２９】
このようにして矩形選択範囲１０１が決定されると、矩形選択範囲１０１の矩形の位置Ｐ１、Ｐ２、Ｐ３、Ｐ４が中央処理装置３１０の画像処理部３１４で演算され、Ｐ１、Ｐ２、Ｐ３、Ｐ４の緯度、経度が算出される。Ｐ１、Ｐ２、Ｐ３、Ｐ４の緯度、経度が算出されると、記憶部３１１に記憶されている位置データベースである表１に基づいて、Ｐ１、Ｐ２、Ｐ３、Ｐ４で囲まれる矩形選択範囲１０１内に位置するカメラ装置３０１が表３に示すように選択される。従って、選択されたカメラ装置３０１−２、３０１−３、３０１−５、３０１−６についてリスト表示１０２を行う。
【００３０】
【表３】
2008199531.tif 000005
【００３１】
次に、リスト表示されたカメラ装置３０１のいずれのカメラ装置をいかにして選択するかについて以下説明する。上記のようにして矩形選択範囲１０１内の２乃至５台のカメラ装置が選択されると、選択されたそれぞれのカメラ装置についてカメラの詳細情報を表示できるように構成されている。このカメラ装置３０１の詳細情報は、例えば、地名、番地、居住者名、道路名、駅名、鉄道名、あるいはその他の監視対象物を特定できる属性情報等を予めデジタル化して記憶部３１１に記憶し、データーベース化しておく。また、操作者がリスト表示されたカメラ装置３０１のいずれか１つのカメラ装置３０１を選択すると、カメラ装置が設置されている場所の設置状況やそのカメラ装置で撮像している画像が表示されることで、より的確に、すばやく所望の該当するカメラ装置を選択することが可能である。表４にカメラ装置３０１の詳細情報の一実施例を示す。
【００３２】
【表４】
2008199531.tif 000006
【００３３】
表４において、カメラ装置ＩＤは、カメラ装置３０１−２、３０１−３、・・・を示す。氏名、名称等は、○△×幼稚園、○×銀行、公共の建物、駅名等である。設置場所は、例えば、設置されている住所を示す。緯度Ｘ、経度Ｙは、前述の地図情報の位置を示す。設置状況Ｍ２、Ｍ３、撮像画面ＩＭ２、ＩＭ３については後述する。これら表４に示されるカメラ装置３０１の詳細情報は、前もって監視カメラシステムの構築時に各カメラ装置３０１の詳細情報を記憶部３１１に記憶しておく。なお、表４に示される各カメラ装置３０１の詳細情報は、これらに限定されるものではなく、監視カメラシステムの構成、規模、使用目的に応じて適宜変更、設定される。
【００３４】
次に、表４に示す設置状況Ｍ２、Ｍ３、撮像画面ＩＭ２、ＩＭ３について、図４、図５を用いて説明する。図４は、カメラ装置３０１−２の設置状況Ｍ２、撮像画面ＩＭ２を説明するための図である。図４（Ａ）は、例えば、設置状況Ｍ２として登録されているカメラ装置３０１−２の設置状況を示す図である。図４（Ａ）において、×印は、カメラ装置３０１−２の設置位置を示し、カメラ装置３０１−２が点線矢印４０２で示される向き（視野方向４０２と称する。）に設置され、視野角は、θ１、例えば、広角で○△×幼稚園４０１を監視する監視カメラであることが分かるようになっている。この図４（Ａ）の設置状況Ｍ２の画面は、カメラ装置３０１−２を設置した時、前もって地図情報からこの地区の情報を読出し、これにカメラ装置３０１−２の位置（×印）と、視野方向４０２および視野角θ１を操作部３１３を操作して入力し、記憶部３１１に情報データベースとして記憶する。
【００３５】
また、図４（Ｂ）は、カメラ装置３０１−２が撮影している画面４０３を示している。即ち、カメラ装置３０１−２が○△×幼稚園の入園口および園児の遊園場所を撮影していることが分かる。この画面４０３は、カメラ装置３０１−２が設置され、例えば、動作試験を行ったときに撮像した画像を伝送路３０４を介して監視センタ３０５に送信し、中央処理装置３１０の記憶部３１１にカメラ装置３０１−２の撮像画面ＩＭ２として登録する。
【００３６】
同様に、図５（Ａ）は、例えば、設置状況Ｍ３として登録されているカメラ装置３０１−３の設置状況を示す図である。図５（Ａ）において、×印は、カメラ装置３０１−３の設置位置を示し、カメラ装置３０１−３が点線矢印５０２で示される向き（視野方向５０２）に設置され、視野角は、θ２、例えば、○×銀行を監視する監視カメラであることが分かるようになっている。この図４（Ａ）の設置状況Ｍ３の画面も、カメラ装置３０１−３を設置した時、前もって地図情報からこの地区の情報を読出し、これにカメラ装置３０１−３の位置（×印）と、視野方向５０２および視野角θ２を操作部３１３を操作して入力し、記憶部３１１に情報データベースとして記憶する。
【００３７】
また、図５（Ｂ）は、カメラ装置３０１−３が撮影している画面５０３を示している。即ち、カメラ装置３０１−３が○×銀行の出入口を撮影していることが分かる。この画面５０３もカメラ装置３０１−３が設置され、動作試験を行ったときに撮像した画像を伝送路３０４を介して監視センタ３０５に送信し、中央処理装置３１０の記憶部３１１にカメラ装置３０１−３の撮像画面ＩＭ３として登録する。以下、本発明の監視カメラシステムの全てのカメラ装置について同様に設置状況Ｍ、撮像画面ＩＭが記憶部３１１に登録される。このようにして表４に示されるカメラ装置３０１の詳細情報が情報データベースとして記憶部３１１に蓄積される。なお、表１に示される全てのカメラ装置３０１についても同様である。
【００３８】
次に、本発明の監視カメラシステムにおいて、所望のカメラ装置を選択する方法について図６に示すフローチャートを用いて説明する。まず、スタート（ステップ６０１）で監視センタ３０５の中央処理装置３１０の表示部３１２に記憶部３１１に記憶されている地図情報データベースから地図画面２０１（図２に示す。）を呼出す。そして、操作部３１３の、例えば、マウスを用いて情報ツール欄２０３を操作して所望の地区の地図情報を表示する（ステップ６０２）。この時、表示された地図情報の範囲が広範囲で、カメラ装置３０１が多数存在する場合には、更に、図１に示されるように、拡大された地図表示エリアを表示する。しかしながら、カメラ装置３０１がそれほど多く密集していない場合は、特に、拡大表示する必要がないことは、言うまでもない。本発明の一実施例では、例えば、大都会でカメラ装置が密集して配置されている場合の例が示されている。
【００３９】
ステップ６０２で表示された地図上に矩形選択範囲を表示する。即ち、操作者は、操作部３１３を用いてドラッグ等の操作をして、該当する、例えば、監視場所に位置するカメラ装置３０１を選択するために地図上に、所定の対象物を中心に矩形選択範囲１０１を表示する（ステップ６０３）。そして、この矩形選択範囲１０１の大きさは、カメラ装置台数が、例えば、２〜５台が入る範囲に選択する。矩形選択範囲１０１が確定（Ｙｅｓの場合）すると、図１に示されるようにリスト表示する（ステップ６０４）。即ち、矩形選択範囲１０１内に位置するカメラ装置３０１−２、３０１−３、３０１−５、３０１−６のカメラ装置のリストが表示される。
【００４０】
次に、カメラ装置３０１のリストが表示（リスト表示１０２）されると、操作者は、操作部３１３のマウス等を用いて、カメラ装置３０１−２、３０１−３、・・・を順次クリックして各カメラ装置固有の詳細情報（表４に示す。）を、例えば、プルダウンメニューで表示させる。プルダウンメニューの表示例を図７に示す。図７において、プルダウンメニュー７０１は、例えば、リスト表示１０２のカメラ装置３０１−２をマウス等で指定すると、表４に示すカメラ装置３０１−２の、名称：○△×幼稚園、設置場所：中野区○○町××、緯度Ｘ２、経度Ｙ２、設置状況Ｍ２、撮像画面ＩＭ２等の情報が記憶部３１１のデータベースから読み出され、地図表示エリア２０４にプルダウンメニュー７０１として表示される。
【００４１】
このプルダウンメニュー７０１を表示した段階で、カメラ装置を選択できる場合は、これでカメラ装置の選択は完了（ステップ６０５）し、確定（ステップ６０６）される。しかしながら、この段階でもカメラ装置の選択が難しい場合は、プルダウンメニュー６０１で示される項目中、更に、設置状況Ｍ２をマウス等でクリックすると、図４（Ａ）の情報が表示されるし、また、撮像画面ＩＭ２をマウス等でクリックすると、図４（Ｂ）の情報が表示されるので、この設置状況Ｍ２あるいは撮像画面ＩＭ２に基づいてカメラ装置３０１−２を選択し、確定（ステップ６０６）する。確定した後のカメラ装置３０１−２からの、例えば、監視映像の伝送、処理等については、従来の監視カメラシステムと同様であるので、詳細な説明は省略する。
【００４２】
以上、詳述したように操作者は、地図上で、多数のカメラ装置が密集して配置されている場合でも、地図上で、所定の台数のカメラ装置が含まれる所定形状の選択範囲を選定し、また、これらカメラ装置の詳細情報を確認して複数のカメラ装置３０１から所望のカメラ装置を素早く、的確に選定することができる。例えば、カメラ装置３０１−２とカメラ装置３０１−３とは、場所的に近い位置に配置され、住所等では判別がつきにくい場合でも、設置状況Ｍや撮像画面ＩＭを見るだけで、容易に区別できる特徴がある。
【００４３】
なお、上記実施例では、映像信号受信側に監視センタを備え、監視センタに中央処理装置を設けた場合について説明したが、映像信号受信側に複数の情報端末装置を設け、これらを情報処理装置として使用することもできることはいうまでもない。
【００４４】
以上、本発明について詳細に説明したが、本発明は、ここに記載された監視カメラシステムの実施例に限定されるものではなく、上記以外の監視カメラシステムに広く適応することが出来ることは、言うまでも無い。
【図面の簡単な説明】
【００４５】
【図１】本発明の一実施例を説明するための地図表示エリアを示す図である。
【図２】本発明の一実施例で用いる地図表示画面を示す図である。
【図３】本発明の一実施例の概略構成のブロック図を示す。
【図４】本発明の一実施例のカメラ装置の設置状況および撮像画面を示す図である。
【図５】本発明の他の一実施例のカメラ装置の設置状況および撮像画面を示す図である。
【図６】本発明の動作を説明するためのフローチャートである。
【図７】本発明の他の一実施例のカメラ装置の詳細説明を表示した図である。
【符号の説明】
【００４６】
１０１：矩形選択領域、１０２：カメラ装置リスト、２０１：ブラウザ画面、２０２：地図情報表示画面、２０３：情報ツール欄、２０４：地図表示エリア、３０１：カメラ装置、３０２：Ａ／Ｄ変換部、３０３：エンコーダ部、３０４：伝送路、３０５：監視センタ、３１０：中央処理装置、３１１：記憶部、３１２：表示部、３１３：操作部、４０１：○△×幼稚園、４０２、５０２：視野方向、４０３、５０３：撮影画面、５０１：○×銀行、７０１：プルダウンメニュー。
【図１】
2008199531.tif 000007
【図２】
2008199531.tif 000008
【図３】
2008199531.tif 000009
【図４】
2008199531.tif 000010
【図５】
2008199531.tif 000011
【図６】
2008199531.tif 000012
【図７】
2008199531.tif 000013